【手続補正書】
【提出日】平成17年9月8日(2005.9.8)
【手続補正１】
【補正対象書類名】明細書
【補正対象項目名】０００２
【補正方法】変更
【補正の内容】
【０００２】
【従来の技術】
図２５に、従来の情報伝送装置を示す。情報伝送装置１９００は、送信部１９１０と、伝送器１９２０と、受信部１９３０を含む。以下、インターネットにおける情報伝送を例１として、ディジタル放送を例２として、２種類の異なる具体例を挙げて説明する。なお、１つの送信部に対して複数の受信部を対応させることが出来る。
【手続補正２】
【補正対象書類名】明細書
【補正対象項目名】０００４
【補正方法】変更
【補正の内容】
【０００４】
（送信部１９１０）
送信部１９１０は、情報単位生成器１９１１、マルチプレクサ１９１２、下位層スクランブラ１９１３、および送出器１９１４を含む。情報単位生成器１９１１は、複数の情報単位Ｉｕを生成して出力する。例１においては、ユーザがキーボードなどからテキスト文章を入力したり、画像を計算機に取り込んだりして得た情報単位Ｉｕ、あるいは既に計算機に格納されている情報単位Ｉｕを出力する。情報単位生成器１９１１は、例えば、電子メール・ソフトウェアの入力画面部分やインターネット上の放送局のサーバなどである。
【手続補正３】
【補正対象書類名】明細書
【補正対象項目名】０００６
【補正方法】変更
【補正の内容】
【０００６】
マルチプレクサ１９１２は、情報単位生成器１９１１が出力する情報単位Ｉｕを入力し、入力した複数の情報単位Ｉｕを多重化し、多重化した情報単位Ｉｕを多重情報Ｉｍとして出力する。この多重化によって、複数の情報単位Ｉｕは伝送器１９２０において効率良く伝送するのに適した形式に変換される。
【手続補正４】
【補正対象書類名】明細書
【補正対象項目名】０００７
【補正方法】変更
【補正の内容】
【０００７】
例１においては、マルチプレクサ１９１２は、例えば、インターネットの電子メールでマルチメディア情報を送るのに用いられるＭＩＭＥ（Ｍｕｌｔｉｉ−ｐｕｒｐｏｓｅ  Ｉｎｔｅｒｎｅｔ  Ｍａｉｌ  Ｅｘｔｅｎｓｉｏｎｓ）のエンコーダである。この場合、マルチプレクサ１９１２は、複数の情報単位Ｉｕであるテキスト情報、画像情報、音声情報などのそれぞれを各パートとし、複数のパートをひとまとめにするＭＩＭＥ準拠のマルチパートのメッセージに変換して出力する。ＭＩＭＥの形式的仕様はＲＦＣ（Ｒｅｑｕｅｓｔ  ｆｏｒ  Ｃｏｍｍｅｎｔｓ）１５２１／１５２２で定義されている。
【手続補正５】
【補正対象書類名】明細書
【補正対象項目名】０００８
【補正方法】変更
【補正の内容】
【０００８】
一方、例２においては、マルチプレクサ１９１２は、例えば、複数のストリームデータからＭＰＥＧ−２システムのＴＳ（Ｔｒａｎｓｐｏｒｔ  Ｓｔｒｅａｍ）を得るサービス多重化装置である。なお、ＭＰＥＧ−２システムおよびＴＳは、ＩＳＯ／ＩＥＣ  ＣＤ  １３８１８−１で規格化されている。この場合、マルチプレクサ１９１２は、情報単位生成器１９１１が出力する複数の情報単位Ｉｕの各々をＰＥＳ（Ｐａｃｋｅｔｉｚｅｄ  Ｅｌｅｍｅｎｔａｒｙ  Ｓｔｒｅａｍ）と呼ばれるパケットに分割し、得られたパケットを所定の規則に基づいて多重化する。
【手続補正６】
【補正対象書類名】明細書
【補正対象項目名】０００９
【補正方法】変更
【補正の内容】
【０００９】
下位層スクランブラ１９１３は、マルチプレクサ１９１２の出力する多重情報Ｉｍを入力し、同多重情報Ｉｍを所定の暗号化アルゴリズムに従って暗号化し、暗号化した多重情報Ｉｍを暗号化多重情報単位Ｉｍｅとして出力する。例１においては、下位層スクランブラ１９１３は、例えば公開鍵暗号であるＲＳＡ暗号を実装したソフトウェアＰＧＰ（Ｐｒｅｔｔｙ  Ｇｏｏｄ  Ｐｒｉｖａｃｙ）を暗号化オプション付で起動したものである。
【手続補正７】
【補正対象書類名】明細書
【補正対象項目名】００１２
【補正方法】変更
【補正の内容】
【００１２】
送出器１９１４は、下位層スクランブラ１９１３から入力される暗号化多重情報単位Ｉｍｅを伝送情報Ｉｔに変換する。この伝送情報Ｉｔは伝送器１９２０に伝送される。例１においては、送出器１９１４はデスティネーションフィールド、センダーフィールド等から構成されるメールヘッダを電子メールの本文に付加するプログラムである。送出器１９１４の出力である電子メールに、このメールヘッダが付与される。一方、例２においては、送出器１９１４は、ＭＰＥＧ−２のＴＳ用のモジュレータおよび誤り訂正エンコーダである。
【手続補正８】
【補正対象書類名】明細書
【補正対象項目名】００２８
【補正方法】変更
【補正の内容】
【００２８】
ステップＳ２００２において、マルチプレクサ１９１２がステップＳ２００１で生成された情報単位Ｉｕを多重化し、その結果を多重情報Ｉｍとして出力する。多重情報Ｉｍは、例１においてはＭＩＭＥ準拠のマルチパートのデータであり、例２においてはＭＰＥＧ−２システムのＴＳのデータである。
【手続補正９】
【補正対象書類名】明細書
【補正対象項目名】００９７
【補正方法】変更
【補正の内容】
【００９７】
例１においては、マルチプレクサ１１３は、例えば、インターネットの電子メールでマルチメディア情報を送るのに用いられるＭＩＭＥ（Ｍｕｌｔｉｉ−ｐｕｒｐｏｓｅ  Ｉｎｔｅｒｎｅｔ  Ｍａｉｌ  Ｅｘｔｅｎｓｉｏｎｓ）のエンコーダである。この場合、マルチプレクサ１１３は、複数の情報単位Ｉｕであるテキスト情報、画像情報、音声情報などのそれぞれを各パートとし、複数のパートをひとまとめにするＭＩＭＥ準拠のマルチパートのメッセージに変換し、これを出力する。
ＭＩＭＥの形式的仕様はＲＦＣ（Ｒｅｑｕｅｓｔ  ｆｏｒ  Ｃｏｍｍｅｎｔｓ）１５２１／１５２２で定義されている。
【手続補正１０】
【補正対象書類名】明細書
【補正対象項目名】００９８
【補正方法】変更
【補正の内容】
【００９８】
一方、例２においては、マルチプレクサ１１３は、例えば、複数のストリームデータからＭＰＥＧ−２システムのＴＳ（Ｔｒａｎｓｐｏｒｔ  Ｓｔｒｅａｍ）を得るサービス多重化装置である。なお、ＭＰＥＧ−２システムおよびＴＳは、ＩＳＯ／ＩＥＣ  ＣＤ  １３８１８−１で規格化されている。この場合、マルチプレクサ１１３は、情報単位生成器１１１が出力する複数の情報単位Ｉｕの各々をＰＥＳ（Ｐａｃｋｅｔｉｚｅｄ  Ｅｌｅｍｅｎｔａｒｙ  Ｓｔｒｅａｍ）と呼ばれるパケットに分割し、得られたパケットを所定の規則に基づいて多重化する。      
【手続補正１１】
【補正対象書類名】明細書
【補正対象項目名】０１５０
【補正方法】変更
【補正の内容】
【０１５０】
受信部１３０の受信器１３１は、ステップＳ４０１において、受信した伝送情報Ｉｔから暗号化多重情報Ｉｍｅ０ａの全体を取り出す。ステップＳ４０２において、下位層デスクランブラ１３２は、第４の所定の暗号Ｃ４で暗号化された暗号化多重情報Ｉｍｅ０ａを解読して、多重情報単位Ｉｍ１２３４ａ（図示せず）を得る。なお、多重情報単位Ｉｍ１２３４ａは、第２の暗号化情報単位Ｉｕｅ１２ａ、第３の情報単位Ｉｕ３ａ、および第３の暗号化情報単位Ｉｕｅ４ａから構成されている。なお、このようにして得られた多重情報単位Ｉｍ１２３４ａは、ステップＳ３０３においてマルチプレクサ１１３によって生成された多重情報単位Ｉｍ１２３４ａと異なるフォーマットを有するように生成しても良い。
【手続補正１２】
【補正対象書類名】明細書
【補正対象項目名】０１５１
【補正方法】変更
【補正の内容】
【０１５１】
デマルチプレクサ１３３は、ステップＳ４０２で生成された多重情報単位Ｉｍ１２３４ａを、ステップＳ４０３で逆多重化して各暗号化情報単位Ｉｕｅおよび／あるいは情報単位Ｉｕを分離する。このようにして、第２の暗号化情報単位Ｉｕｅ１２ａ、第３の情報単位Ｉｕ３ａ、および第３の暗号化情報単位Ｉｕｅ４ａがステップＳ４０３において生成される。なお、このようにして得られた情報単位Ｉｕｅ１２ａ、Ｉｕ３ａ、およびＩｕｅ４ａは、送信部１１０の情報単位スクランブラ１１２によって生成されたものとは違うフォーマットに生成することができる。さらに、情報単位Ｉｕｅ１２ａ、Ｉｕ３ａ、およびＩｕｅ４ａを送信部１１０の情報単位スクランブラ１１２で生成されたものと同一のフォーマットで生成することもできる。この場合、情報単位Ｉｕｅ１２ａ、Ｉｕ３ａ、およびＩｕｅ４ａの再生を意味する。
【手続補正１３】
【補正対象書類名】明細書
【補正対象項目名】０１５９
【補正方法】変更
【補正の内容】
【０１５９】
（受信部５３０）
受信部５３０は、図１に示した受信部１３０の下位層デスクランブラ１３２と類似した構成を有している。つまり、受信部５３０においては、下位層デスクランブラ１３２と情報単位デスクランブラ１３４がデスクランブラ５３２とデマルチプレクサ５３３によってそれぞれ置き換えられている。デスクランブラ５３２は、受信器１３１から入力される暗号化多重情報Ｉｍｅを一度解読して、多重情報単位Ｉｍを生成する。なお、デスクランブラ５３２は、送信部１１０の下位層スクランブラ１１４によって採用されている暗号化方法を含む各種暗号化方法に基づいて暗号化された暗号化多重情報を解読できる。
【手続補正１４】
【補正対象書類名】明細書
【補正対象項目名】０１６０
【補正方法】変更
【補正の内容】
【０１６０】
デマルチプレクサ５３３は、デスクランブラ５３２から入力される多重情報単位Ｉｍを逆多重化して情報単位Ｉｕを生成する。しかしながら、デスクランブラ５３２によって生成された多重情報単位Ｉｍが再帰的に多重化（構造化）された情報単位を含んでいる場合には、逆多重化の後に暗号化情報単位Ｉｕｅが残る。
【手続補正１５】
【補正対象書類名】明細書
【補正対象項目名】０１６１
【補正方法】変更
【補正の内容】
【０１６１】
デスクランブラ５３２はさらにデマルチプレクサ５３３に接続されて暗号化情報単位Ｉｕｅの入力を受ける。そｓｈて、デスクランブラ５３２は、入力された暗号化情報単位Ｉｕｅを解読して、多重情報単位Ｉｍを生成する。この多重情報単位Ｉｍは、デマルチプレクサ５３３に供給される。デマルチプレクサ５３３から入力される暗号化情報単位Ｉｕｅが、暗号化されているだけで多重化はされていない場合には、情報単位Ｉｕが生成されて直接再生器１３５に供給される。このように、デマルチプレクサ５３３は、再帰的に多重化（構造化）された多重情報単位Ｉｍを逆多重化できる必要はなく、ただ一度多重化された多重情報単位Ｉｍを逆多重化できさえすれば良い。
【手続補正１６】
【補正対象書類名】明細書
【補正対象項目名】０１６２
【補正方法】変更
【補正の内容】
【０１６２】
このように、第２の実施形態にかかる構成は、第１の実施形態の構成から、情報単位スクランブラ１１２で複数回数再帰的に暗号化する制限を取り除き、いずれも暗号を解読する下位層デスクランブラ１３２と情報単位デスクランブラ１３４とを一つに統合したものである。この統合は、情報単位デスクランブラ１３４の機能を下位層デスクランブラ１３２の機能で実現したと見なすこともできる。
【手続補正１７】
【補正対象書類名】明細書
【補正対象項目名】０１７４
【補正方法】変更
【補正の内容】
【０１７４】
ステップＳ７０３において、デマルチプレクサ５３３が、ステップＳ７０２で得た多重情報Ｉｍから暗号化情報単位Ｉｕｅを分離する。デスクランブラ５３２は再帰的に多重化した多重情報単位Ｉｍを解読するが、一度だけ多重化された情報単位Ｉｍを逆多重化する。
【手続補正１８】
【補正対象書類名】明細書
【補正対象項目名】０１７５
【補正方法】変更
【補正の内容】
【０１７５】
ステップＳ７０４において、デスクランブラ５３２は、受信器１３１から暗号化多重情報Ｉｍｅおよび／又はデスクランブラ５３２からの暗号化情報単位Ｉｕｅを解読する。暗号化多重情報Ｉｍｅあるいは暗号化情報単位Ｉｕｅが１回暗号化されている場合には、１回暗号を解読することで情報単位Ｉｕを生成できる。この情報単位Ｉｕは直接再生器１３５に供給される。暗号化多重情報Ｉｍｅあるいは暗号化情報単位Ｉｕｅが暗号化および多重化されている場合には、多重情報単位Ｉｍが生成されて、デスクランブラ５３２に供給される。
【手続補正１９】
【補正対象書類名】明細書
【補正対象項目名】０１８６
【補正方法】変更
【補正の内容】
【０１８６】
（暗号化された暗号化多重情報から情報単位を生成）
送信部５１０によって伝送された階層的に暗号化された情報を、以下に述べるように、簡単に構成された単一のデスクランブラを用いて解読できる。暗号化多重情報単位Ｉｍｅ０ｂは伝送器１２０を経由して伝送情報Ｉｔの形で、受信部５３０に供給される。
受信部５３０の受信器１３１は、ステップＳ７０１において、受信した伝送情報Ｉｔから暗号化多重情報Ｉｍｅ０ｂの全体を取り出す。ステップＳ７０２において、デスクランブラ５３２は、第７の所定の暗号Ｃ７で暗号化された暗号化多重情報Ｉｍｅ０ｂを解読して、多重情報単位Ｉｍ１２３４ｂ（図示せず）を得る。なお、多重情報単位Ｉｍ１２３４ｂは、暗号化情報単位Ｉｕｅ１２ｂ、情報単位Ｉｕ３ｂ、および暗号化情報単位Ｉｕｅ４ｂから構成されている。なお、このようにして得られた多重情報単位Ｉｍ１２３４ｂは、ステップＳ６０３においてマルチプレクサ１１３によって生成された多重情報単位Ｉｍ１２３４ｂと異なるフォーマットを有するように生成しても良い。
【手続補正２０】
【補正対象書類名】明細書
【補正対象項目名】０１８７
【補正方法】変更
【補正の内容】
【０１８７】
デマルチプレクサ５３３は、ステップＳ７０２で生成された多重情報単位Ｉｍ１２３４ｂを、ステップＳ７０３で逆多重化して各暗号化情報単位Ｉｕｅおよび／あるいは情報単位Ｉｕを分離する。このようにして、暗号化情報単位Ｉｕｅ１２ｂ、情報単位Ｉｕ３ｂ、および暗号化情報単位Ｉｕｅ４ｂがステップＳ７０３において生成される。なお、このようにして得られた情報単位Ｉｕｅ１２ｂ、Ｉｕ３ｂ、およびＩｕｅ４ｂは、送信部５１０の情報単位スクランブラ５１２によって生成されたものとは違うフォーマットに生成することができる。さらに、情報単位Ｉｕｅ１２ｂ、Ｉｕ３ｂ、およびＩｕｅ４ｂを送信部５１０の情報単位スクランブラ５１２で生成されたものと同一のフォーマットで生成することもできる。この場合、情報単位Ｉｕｅ１２ｂ、Ｉｕ３ｂ、およびＩｕｅ４ｂの再生を意味する。
【手続補正２１】
【補正対象書類名】明細書
【補正対象項目名】０１８８
【補正方法】変更
【補正の内容】
【０１８８】
暗号化情報単位Ｉｕｅ１２ｂは、デスクランブラ５３２に伝送される。そして、ステップＳ７０４において、デスクランブラ５３２は、第５の暗号を用いて暗号化情報単位Ｉｕｅ１２ｂを解読して、多重情報単位Ｉｍ１２ｂ（図示せず）を生成する。このように生成された多重情報単位Ｉｍ１２ｂはデマルチプレクサ５３３に戻される。そして、ステップＳ７０３で、デマルチプレクサ５３３は多重情報単位Ｉｍ１２ｂを逆多重化して、情報単位Ｉｕ１ｂと情報単位Ｉｕ２ｂが生成される。
【手続補正２２】
【補正対象書類名】明細書
【補正対象項目名】０１８９
【補正方法】変更
【補正の内容】
【０１８９】
ステップＳ７０４において、情報単位Ｉｕ１ｂはデスクランブラ５３２に送られ、そこで第５の所定の暗号Ｃ５を用いて情報単位Ｉｕ１ｂを解読して第１の情報単位Ｉｕ１ａが生成される。同様に、暗号化情報単位Ｉｕｅ４ｂがデスクランブラ５３２に送られて、そこで情報単位Ｉｕ４ｂが生成される。
【手続補正２３】
【補正対象書類名】明細書
【補正対象項目名】０２１３
【補正方法】変更
【補正の内容】
【０２１３】
受信部８３０の受信器１３１は、ステップＳ９０１において、受信した伝送情報Ｉｔから暗号化多重情報Ｉｍｅ０ｃの全体を取り出す。ステップＳ９０２において、デスクランブラ８３２は、第１１の所定の暗号Ｃ１１で暗号化された暗号化多重情報Ｉｍｅ０ｃを解読して、多重情報単位Ｉｍ１２３４ｃ（図示せず）を得る。なお、多重情報単位Ｉｍ１２３４ｃは、暗号化情報単位Ｉｕｅ１２ｃ、情報単位Ｉｕ３ｃ、および暗号化情報単位Ｉｕｅ４ｃから構成されている。なお、このようにして得られた多重情報単位Ｉｍ１２３４ｃは、マルチプレクサ１１３によって生成された多重情報単位Ｉｍ１２３４ｃと異なるフォーマットを有するように生成しても良い。
【手続補正２４】
【補正対象書類名】明細書
【補正対象項目名】０２１４
【補正方法】変更
【補正の内容】
【０２１４】
デマルチプレクサ１３３は、ステップＳ９０２で生成された多重情報単位Ｉｍ１２３４ｃを、ステップＳ９０３で逆多重化して各暗号化情報単位Ｉｕｅおよび／あるいは情報単位Ｉｕを分離する。このようにして、暗号化情報単位Ｉｕｅ１２ｃ、情報単位Ｉｕ３ｃ、および暗号化情報単位Ｉｕｅ４ｃがステップＳ９０３において生成される。なお、このようにして得られた情報単位Ｉｕｅ１２ｃ、Ｉｕ３ｃ、およびＩｕｅ４ｃは、送信部８１０の情報単位スクランブラ５１２によって生成されたものとは違うフォーマットに生成することができる。さらに、情報単位Ｉｕｅ１２ｃ、Ｉｕ３ｃ、およびＩｕｅ４ｃを送信部８１０の情報単位スクランブラ５１２で生成されたものと同一のフォーマットで生成することもできる。この場合、情報単位Ｉｕｅ１２ｃ、Ｉｕ３ｃ、およびＩｕｅ４ｃの再生を意味する。